(57)【要約】【課題】導光板６が熱膨張した場合でも、光源ブロック５と導光板６との隙間Ａをほぼ一定に保つ。【解決手段】光源ブロック５を保持するソケット３をバネ１４によって支持するとともに、導光板６を保持する導光板ケース７に被係止部７２を設け、ソケット３に、被係止部７２を係止する係止部３ｂを設けた。この被係止部７２は、バネ１４の付勢の向きとは逆の向きから係止部３ｂに係止されている。従って、ソケット３は被係止部７２とバネ１４とで位置決めされていることになる。ここで、導光板６が熱膨張すると、被係止部７２は導光板６の膨張の向きと同じ向きに変位する。このとき光源ブロック５も、バネ１４の付勢力によって、導光板６の膨張の向きと同じ向きに変位する。よって、導光板６の膨張によらずに、導光板６と光源ブロック５との隙間Ａをほぼ一定に保つことができる。【選択図】図１
2011134507.tif 000002
【特許請求の範囲】
【請求項１】
内部に光源を収納して放射面から帯状の光を放射するとともに、前記光源の給電用の接続端子が外部に突出してなる光源ブロックと、
板状であって側端面で前記光源ブロックの放射面と対向し、当該側端面から入射された光を発光面から面状に放射する導光板、及び、前記導光板の発光面に対向する表示パネルを有する表示ブロックと、
前記光源ブロックの接続端子に接続される接続部を有し、当該光源ブロックを保持するソケットと、
前記ソケットの接続部を介して前記光源を点灯させる点灯装置と、
前記点灯装置及び前記表示ブロックを保持するとともに、前記ソケットを収納する器具本体と、
前記ソケットを前記導光板の厚さ方向と直交する方向に沿って変位自在に支持し、且つ当該ソケットを前記導光板から前記光源ブロックへ向かう向きへ付勢する付勢手段とを備え、
前記表示ブロックには、前記導光板が膨張するときに当該導光板の膨張の向きと同じ向きへ変位する被係止部が突設されており、この被係止部が、前記付勢手段による付勢の向きと逆の向きから、前記ソケットに係止されてなることを特徴とする表示灯。
【請求項２】
前記ソケットには、前記被係止部を係止する係止部が、前記付勢手段の付勢方向と交差する方向に突出して形成されていることを特徴とする請求項１記載の表示灯。
【請求項３】
前記ソケットには、前記被係止部を係止する係止部が、前記付勢手段の付勢方向と交差する方向に凹んで形成されていることを特徴とする請求項１記載の表示灯。
【発明の詳細な説明】
【技術分野】
【０００１】
本発明は、誘導灯等の表示灯に関するものである。
【背景技術】
【０００２】
従来、帯状の光を放射する光源ブロック５と、側端面が光源ブロック５に対向して配置された導光板６とを備えた、例えば図５に示すような表示灯が提供されている（特許文献１参照）。このような表示灯では、光源ブロック５から導光板６に入射した帯状の光が、導光板６から面状に放射され、この光によって、導光板６に対向して配置された表示パネル８が照明される。
【０００３】
ここで図５に示す上記従来例の光源ブロック５は、ランプホルダ１１の内部に、冷陰極ランプからなる光源１６と、光源１６から放射された光を下方へ反射する反射鏡１７とを備えている。そして、冷陰極ランプの口金と電気的に接続されている接続端子５ａが、ランプホルダ１１の外部へ（図５（ｂ）における右側へ）突出している。一方、ソケット３には差し込み穴３ａが形成され、この差し込み穴３ａの内部には、銅などの導電体により、差し込み穴３ａの内壁面に沿った形状に形成された接続部が、配設されている。そしてこの接続部は、図示しない電線を介して点灯装置２に接続されている。すなわち本従来例では、接続端子５ａを差し込み穴３ａへ挿入することで光源ブロック５がソケット３に固定され、このとき、点灯装置２と光源１６とが接続部を介して導通するようになっている。
【０００４】
ところで、上記のような表示灯の導光板６は、一般にアクリル樹脂などから形成されており、光源１６の点灯中には、光源１６や点灯装置２から放出された熱によって僅かに熱膨張する。このため、光源ブロック５と導光板６とを隙間なく配置すると、導光板６の熱膨張によって光源ブロック５が変位し（図５（ａ）の上方へ押し上げられ）、ソケット３内の接続部と接続端子５ａとが接触不良を起こすおそれがある。そこで本従来例では、図５（ｂ）に示すように、光源ブロック５と導光板６との間に若干の隙間Ａ（約１ｍｍ）を設け、導光板６が熱膨張しても光源ブロック５に当たらない構造となっている。
【先行技術文献】
【特許文献】
【０００５】
【特許文献１】特開２００２−２３６５７号公報
【発明の概要】
【発明が解決しようとする課題】
【０００６】
しかし、上記従来例では、導光板６と光源ブロック５との隙間Ａから光が漏れてしまうため、光源ブロック５から導光板６への光の入射効率が低下してしまうという問題があった。
【０００７】
この問題を解決する方法としては、図６に示すように、導光板６の上端部６ａに光源ブロック５を直接固定し、光源ブロック５と点灯装置２とをリード線１８で接続する方法がある。本従来例では、導光板６が膨張して上端部６ａが図６（ａ）の上方へ変位すると、光源ブロック５も上方へと変位する。よって、導光板６と光源ブロック５との相対的な位置が保たれる。従って、導光板６と光源ブロック５とを、図６（ｂ）に示すように隙間なく配置しておくことで、光源ブロック５から導光板６への入射効率を高めることができる。また本従来例では、光源ブロック５と点灯装置２とはリード線１８を介して接続されているので、光源ブロック５が変位しても接触不良が起こりにくくなっている。
【０００８】
しかし、本従来例ではリード線１８を用いているので、光源ブロック５や導光板６を器具本体１に取り付けるときにリード線１８を挟んでしまうおそれがあり、作業性がよくないという問題があった。
【０００９】
本発明は上記事情に鑑みて為されたものであり、作業性がよく、光源ブロックの接続端子とソケットの接続部との接触不良が起こりにくい表示灯を提供することを目的とする。
【課題を解決するための手段】
【００１０】
上記の目的を達成するために、請求項１の発明は、内部に光源を収納して放射面から帯状の光を放射するとともに、前記光源の給電用の接続端子が外部に突出してなる光源ブロックと、板状であって側端面で前記光源ブロックの放射面と対向し、当該側端面から入射された光を発光面から面状に放射する導光板、及び、前記導光板の発光面に対向する表示パネルを有する表示ブロックと、前記光源ブロックの接続端子に接続される接続部を有し、当該光源ブロックを保持するソケットと、前記ソケットの接続部を介して前記光源を点灯させる点灯装置と、前記点灯装置及び前記表示ブロックを保持するとともに、前記ソケットを収納する器具本体と、前記ソケットを前記導光板の厚さ方向と直交する方向に沿って変位自在に支持し、且つ当該ソケットを前記導光板から前記光源ブロックへ向かう向きへ付勢する付勢手段とを備え、前記表示ブロックには、前記導光板が膨張するときに当該導光板の膨張の向きと同じ向きへ変位する被係止部が突設されており、この被係止部が、前記付勢手段による付勢の向きと逆の向きから、前記ソケットに係止されてなることを特徴とする。
【００１１】
請求項１の発明では、光源ブロックの接続端子をソケットに接続することで、リード線を用いることなく光源ブロックと点灯装置とを接続できるため、作業性がよい。またソケットは、付勢手段によって付勢されるとともに、被係止部によって、付勢の向きと逆の向きから係止されている。そしてこのソケットは、導光板が膨張したときには、付勢手段の付勢力によって、導光板の膨張の向きと同じ向きに変位する。従って、ソケットに保持された光源ブロックと導光板との相対的な位置が変わらない。よって、光源ブロックの接続端子とソケットの接続部との接触不良が起こりにくくなっている。
【００１２】
請求項２の発明は、請求項１記載の発明において、前記ソケットには、前記被係止部を係止する係止部が、前記付勢手段の付勢方向と交差する方向に突出して形成されていることを特徴とする。
【００１３】
請求項２の発明では、ソケットに、付勢手段の付勢方向と交差する方向に突出した係止部を設けている。これにより、表示ブロックの被係止部をソケットの係止部に係止することができるので、請求項１と同様の効果を奏することができる。
【００１４】
請求項３の発明は、請求項１記載の発明において、前記ソケットには、前記被係止部を係止する係止部が、前記付勢手段の付勢方向と交差する方向に凹んで形成されていることを特徴とする。
【００１５】
請求項３の発明では、ソケットに、付勢手段の付勢方向と交差する方向に凹んだ係止部を設けている。これにより、表示ブロックの被係止部をソケットの係止部に係止することができるので、請求項１と同様の効果を奏することができる。
【発明の効果】
【００１６】
本発明は、作業性がよく、光源ブロックの接続端子とソケットの接続部との接触不良が起こりにくい表示灯を提供することができる。
【図面の簡単な説明】
【００１７】
【図１】本発明の第１の実施形態を示し、（ａ）は分解斜視図、（ｂ）はソケット３近傍の斜視図、（ｃ）は光源ブロック５の断面図である。
【図２】同上を示し、（ａ）は表示ブロック４を器具本体１に取り付ける前のソケット３近傍の側面図、（ｂ）は表示ブロック４を器具本体１に取り付けたときのソケット３近傍の側面図、（ｃ）は導光板６が熱膨張するときの動作を説明する図である。
【図３】本発明の第２の実施形態を示し、（ａ）は分解斜視図、（ｂ）はソケット３近傍の斜視図、（ｃ）は光源ブロック５の断面図である。
【図４】同上を示し、（ａ）は表示ブロック４を器具本体１に取り付ける前のソケット３近傍の側面図、（ｂ）は表示ブロック４を器具本体１に取り付けたときのソケット３近傍の側面図、（ｃ）は導光板６が熱膨張するときの動作を説明する図である。
【図５】従来例を示し、（ａ）は分解斜視図、（ｂ）は光源ブロック５近傍の側面図である。
【図６】図５とは別の従来例を示し、（ａ）は分解斜視図、（ｂ）は光源ブロック５近傍の側面図である。
【発明を実施するための形態】
【００１８】
（実施形態１）
本発明の第１の実施形態を、図１、図２を参照して説明する。なお、下記説明中での上下左右の表記は図１（ａ）を基準とし、図１（ａ）において器具本体１から導光板６へ向かう向きを前方とする。
【００１９】
本実施形態は、図１（ａ）に示すように、前面開口した略矩形箱形の器具本体１の内部に、点灯装置２及び一対のソケット３を収納し、器具本体１前面の開口部を覆うように、表示ブロック４と光源ブロック５とを配設してなる。
【００２０】
表示ブロック４は、図１（ａ）に示すように、導光板６と、導光板ケース７と、表示パネル８とから構成される。
【００２１】
導光板６は透明アクリル樹脂製であって、その左右方向の幅は、器具本体１の前面に形成された開口部の左右方向の幅とほぼ等しく、上下方向の幅は、器具本体１の前面に形成された開口部の上下方向の幅よりも短くなっている。そして、導光板６の後面には、上端面から入射した光を前面に反射するために、ドット印刷などの反射構造が形成されている。
【００２２】
導光板６の後方には、金属などから導光板６と同じ寸法の長方形状に形成された、導光板ケース７が配置されている。この導光板ケース７は、導光板６の上下左右の側面に当接する計８個の係止爪７１によって、導光板６に固定されている。また、導光板ケース７後面の上部には、図１（ｂ）に示すように、支持部７２ａ及び係止爪部７２ｂからなる左右一対（図１（ｂ）では、左側だけ図示）の被係止部７２が、後ろ斜め上方向へ突設されている。
【００２３】
表示パネル８は、透光性を有するアクリル樹脂製であって、上下左右の寸法が導光板６とほぼ等しく形成されており、導光板６の前面を覆うように配置される。またその前面には、例えば避難口へ誘導するためのシンボルが表記されている。
【００２４】
光源ブロック５は、図１（ｃ）に示すように、導光ロッド９と、ＬＥＤ（発光ダイオード）１０ａ及び１０ｂとを、ランプホルダ１１の内部に収納してなる。
【００２５】
導光ロッド９は透明アクリル樹脂製で、上面がＶ字状の反射面９ａである柱状であって、反射面９ａにはＶ溝加工やドット印刷などにより光を反射する反射構造が形成されている。
【００２６】
導光ロッド９の左右両側には、導光ロッド９の両底面９ｂに対向して、ＬＥＤ１０ａとＬＥＤ１０ｂとが配置される。このＬＥＤ１０ａは基板１２ａ上に、ＬＥＤ１０ｂは基板１２ｂ上に、それぞれ導電性接着剤などで固着され、この基板１２ａ，１２ｂは、接着剤やねじなどの固定手段でランプホルダ１１に固定されている。
【００２７】
ランプホルダ１１は、合成樹脂材料から下面が開口した直方体状に形成され、その後面には、ＬＥＤ１０ａ，１０ｂに電力を供給するための接続端子５ａが、後方へ突設されている。
【００２８】
器具本体１は、前面が開口した略矩形箱形であって、図示しない取付ねじによって壁面または天井面に取り付けられる。また器具本体１内には、図示しない電線を介して外部電源に接続された点灯装置２と、外部電源の停電時に点灯装置２へ給電するための非常用電源であって、図示しない電線を介して点灯装置２に接続された図示しない二次電池とが配設されている。
【００２９】
器具本体１内部の上部には、図１に示すように、略直方体状で差し込み穴３ａが前面に形成された左右一対（図１（ａ）では右側だけ図示）のソケット３が配置されている。この差し込み穴３ａの内部には、銅などの導電体により、差し込み穴３ａの内壁面に沿った形状に形成された接続部が設けられている。そしてこの接続部は、器具本体１の後壁面に沿って配置された図示しない電線を介して、点灯装置２に接続されている。すなわち本実施形態は、ランプホルダ１１から突出した接続端子５ａを差し込み穴３ａに差し込むことで、ランプホルダ１１がソケット３に保持されるとともに、点灯装置２とＬＥＤ１０ａ，１０ｂとが接続部を介して導通する。また、ソケット３の左右両側面のうちで、器具本体１の内部側の側面には、直方体状の係止部３ｂが左右方向に突設されている（図１（ｂ）参照）。
【００３０】
器具本体１の内部においてソケット３の下部には、略Ｌ字状であって、Ｌ字の長辺部分１３ａがソケット３の下面に対向するとともにＬ字の短辺部分１３ｂが器具本体１の後壁面に固定された支持片１３が配置されている。そして、ソケット３と支持片１３の長辺部分１３ａとの間には、一対のバネ１４（付勢手段）が介装されている。すなわちソケット３は、バネ１４によって器具本体１に支持されており、バネ１４が伸縮する方向（上下方向）へ変位自在となっている。
【００３１】
器具本体１の前面には、後面が開口した略箱形であって前面に長方形状の開口部１５ａを有するパネルカバー１５が、器具本体１との間に表示ブロック４及び光源ブロック５を挟み込む形で取り付けられる。ここで、パネルカバー１５前面の開口部１５ａは、表示パネル８の上下左右の寸法よりも小さく形成されており、この開口部１５ａから表示パネル８が露出する。
【００３２】
次に、本実施形態の組立手順を、図２（ａ），（ｂ）を参照しながら説明する。
【００３３】
本実施形態を組み立てるには、まず、導光板６及び導光板ケース７を、器具本体１の前方に配置する。このときの導光板６の上下方向の位置は、図２（ａ）に示すように、被係止部７２の係止爪部７２ｂがソケット３の係止部３ｂよりも上方となる位置である。そしてこの状態から、導光板６及び導光板ケース７を後方（図２（ａ）の右方）へ平行移動させて、器具本体１前面の開口部に嵌め込む。
【００３４】
次に、図２（ｂ）に示すように、導光板６の下側面が器具本体１の下側壁に当たるまで、導光板６及び導光板ケース７を下方へ移動させる。このとき被係止部７２は、図２（ｂ）に示すように上方から係止部３ｂの上部に当接し、導光板６の移動とともに、バネ１４を縮めながらソケット３を下方へ変位させる。そして、これら導光板６及び導光板ケース７は、器具本体１の下側壁に当接した後、適宜の嵌合手段などによって器具本体１に固定される。すなわち本実施形態では、導光板６及び導光板ケース７を器具本体１に固定したときには、ソケット３はバネ１４によって上方へ付勢されていることになる。
【００３５】
その後、ソケット３の差し込み穴３ａに光源ブロック５の接続端子５ａを差し込む（図２（ｂ）参照）ことにより、光源ブロック５をソケット３に固定して、ＬＥＤ１０ａ，１０ｂと点灯装置２とを導通させる。なお、このとき、導光板６と光源ブロック５とは隙間Ａがほぼない状態で接している。
【００３６】
最後に、導光板６の前面に表示パネル８を配置するとともにパネルカバー１５を器具本体１の前面に取り付けて、本実施形態の組み立てが完了する。
【００３７】
次に、本実施形態の動作を、図１（ｃ）、図２（ｃ）を参照して説明する。
【００３８】
点灯装置を介してＬＥＤ１０ａ，１０ｂに電力を供給すると、ＬＥＤ１０ａ，１０ｂが点灯する。これらＬＥＤ１０ａ，１０ｂから放射された光は、導光ロッド９の底面９ｂから導光ロッド９へ入射する。この光は、図１（ｃ）の矢印に示すように導光ロッド９の反射面９ａによって下方へと反射され、導光ロッド９の下面から帯状に放射される。
【００３９】
導光ロッド９から導光板６へ向かって帯状に放射された光は、導光板６の上側面から導光板６の内部へ入射する。この光は、導光板６の後面によって反射され、導光板６の前面から表示パネル８方向へ向かって面状に放射される。本実施形態は、このようにバックライト方式で表示パネル８を照明している。
【００４０】
ところで本実施形態では、ＬＥＤ１０ａ，１０ｂを点灯させると、点灯装置２やＬＥＤ１０ａ，１０ｂから放出された熱によって、導光板６が膨張する。よって、導光板６の上側面は上方へ変位することになる（図２（ｃ）参照）。一方、導光板６と導光板ケース７の熱膨張係数が近似しているとすると、導光板６が膨張するときに導光板ケース７も膨張し、被係止部７２も上方へ変位する。そして、被係止部７２に係止されたソケット３、並びに、ソケット３に保持されたランプホルダ１１も、バネ１４による付勢力によって上方へ変位する。すなわち本実施形態では、導光板６が膨張して導光板６の上側面が上方へ変位するときに、ランプホルダ１１も上方へ変位するので、導光板６と光源ブロック５との相対的な位置が変わらない。
【００４１】
一方、ＬＥＤ１０ａ，１０ｂを消灯させると、導光板６は元の状態へと収縮し、導光板６の上側面は下方へ変位する。このとき、導光板ケース７の被係止部７２も下方へ変位するので、ソケット３も下方へ変位する。従って、ランプホルダ１１も下方へ変位することになる。すなわち本実施形態では、導光板６が収縮して導光板６の上側面が下方へ変位するときに、ランプホルダ１１も下方へ変位するので、導光板６と光源ブロック５との相対的な位置が変わらない。
【００４２】
上記のように本実施形態では、ＬＥＤ１０ａ，１０ｂを点灯することによって導光板６が膨張したり、ＬＥＤ１０ａ，１０ｂを消灯することによって導光板６が収縮しても、導光板６と光源ブロック５との相対的な位置が変わらない。このため、導光板６が光源ブロック５を押し上げることがなく、光源ブロック５の接続端子とソケット３の接続部との間の接触不良が起こりにくくなっている。また、本実施形態では光源ブロック５と導光板６との隙間Ａを保つことができるので、光源ブロック５と導光板６とを隙間なく配置することで、光源ブロック５から導光板６への光の入射効率を高めることができる。
【００４３】
また本実施形態では、光源ブロック５と点灯装置２をソケット３を介して接続しているので、図６の従来例のように組み立ての際にリード線１８を挟んでしまうことがなく、容易に組み立てることができる。
（実施形態２）
本発明の第２の実施形態を、図３、図４を参照して説明する。なお本実施形態は、係止部３ｃの形状が異なる以外は上記実施形態１と同様であるので、共通の構成要素については同一の符号を付して説明を省略する。
【００４４】
本実施形態のソケット３の側面には、図３（ｂ）に示すように、溝状の係止部３ｃが形成されている。そして図４（ｂ）に示すように、係止部３ｃの下面に、導光板ケース７に突設された被係止部７２の係止爪部７２ｂが当接する構造となっている。
【００４５】
このような構成からなる本実施形態では、上記実施形態１と同様に、導光板６が膨張すると導光板ケース７の被係止部７２が上方へ変位する。そしてソケット３も、バネ１４の付勢力によって上方へ変位し、光源ブロック５も上方へ変位する。これにより、導光板６が膨張しても導光板６と光源ブロック５との相対的な位置が変わらない。
【００４６】
一方、導光板６が収縮するときも、上記実施形態１と同様に、導光板ケース７の被係止部７２が下方へ変位する。そして、ソケット３及び光源ブロック５も、下方へ変位する。これにより、導光板６が収縮しても導光板６と光源ブロック５との相対的な位置が変わらない。
【００４７】
すなわち本実施形態でも、上記実施形態１と同様の効果を得ることができる。
【００４８】
なお、被係止部７２と係止部との構造は、上記実施形態１，２にとらわれるものではなく、被係止部７２がバネ１４の付勢の向きと逆向きから係止部に係止される構造であればよい。
【００４９】
また、光源ブロック５の光源として、図５の従来例のような冷陰極ランプなどを用いてもよい。
【符号の説明】
【００５０】
３    ソケット
３ａ  差し込み穴
３ｂ  係止部
４    表示ブロック
５    光源ブロック
５ａ  接続端子
６    導光板
７２  被係止部
１４  バネ（付勢手段）
【図１】
2011134507.tif 000003
【図２】
2011134507.tif 000004
【図３】
2011134507.tif 000005
【図４】
2011134507.tif 000006
【図５】
2011134507.tif 000007
【図６】
2011134507.tif 000008